(57)【特許請求の範囲】
【請求項１】
記録情報が記録されているグルーブと、ランドプリピットが形成されているランドとを有する記録再生媒体から、前記記録情報を再生する再生装置であって、
前記グルーブに位置合わせして、前記グルーブと前記グルーブの両側の前記ランドとの範囲に光スポットを照射することで線走査を行う光照射手段と、
前記光スポットが照射された前記グルーブと前記ランドとの範囲から反射されてくる反射光を、前記線走査の方向に対して対称に配置された複数の受光領域で検出し、各受光領域に生じる検出信号を出力する光検出手段と、
前記線走査の方向に対して対称に配置された前記受光領域に生じた各検出信号を加算することで、ＲＦ信号を生成するための前処理信号を生成する第１の信号生成手段と、
前記線走査の方向に対して対称に配置された前記受光領域に生じた各検出信号の差を演算して、プッシュプル信号を生成する第２の信号生成手段と、
前記プッシュプル信号から前記ランドプリピットの成分を抽出するフィルタ手段と、
前記前処理信号に対し前記ランドプリピットの成分を加算、または、前記前処理信号に対し前記ランドプリピットの成分を乗算することにより、前記ＲＦ信号を生成する演算手段と、
を備え、
前記演算手段は、前記光スポットが前記ランドに形成されている前記ランドプリピットに照射される際、前記前処理信号に対し前記ランドプリピットの成分を前記加算または前記乗算することにより、前記ランドプリピットの影響で前処理信号に生じたオフセット成分を前記ランドプリピットの成分で相殺して前記ＲＦ信号を生成すること、
を特徴とする再生装置。
【請求項２】
前記フィルタ手段で抽出される前記ランドプリピットの成分をレベル調整して前記演算手段に供給するレベル変換手段を更に備え、
前記演算手段は、前記前処理信号に対し前記レベル調整後のランドプリピットの成分を加算、または、前記前処理信号に対し前記レベル調整後のランドプリピットの成分を乗算することにより前記ＲＦ信号を生成すること、
を特徴とする請求項１に記載の再生装置。
【請求項３】
前記プッシュプル信号と、レベル判定用の所定閾値とを比較し、前記プッシュプル信号が前記閾値より大きな値となる期間をオフセット発生期間と判定するプリピット検出手段と、
前記プリピット検出手段で判定される前記オフセット発生期間において、前記演算手段で生成される前記ＲＦ信号を出力し、前記オフセット発生期間を除く期間において、前記前処理信号をＲＦ信号として出力するスイッチ手段と、
を更に備えることを特徴とする請求項１又は２に記載の再生装置。
【請求項４】
記録情報が記録されているグルーブと、ランドプリピットが形成されているランドとを有する記録再生媒体から、前記記録情報を再生する再生装置であって、
前記グルーブに位置合わせして、前記グルーブと前記グルーブの両側の前記ランドとの範囲に光スポットを照射することで線走査を行う光照射手段と、
前記光スポットが照射された前記グルーブと前記ランドとの範囲から反射されてくる反射光を、前記線走査の方向に対して対称に配置された複数の受光領域で検出し、各受光領域に生じる検出信号を出力する光検出手段と、
前記線走査の方向に対して対称に配置された前記受光領域に生じた各検出信号を加算することで、ＲＦ信号を生成するための前処理信号を生成する第１の信号生成手段と、
前記線走査の方向に対して対称に配置された前記受光領域に生じた各検出信号の差を演算して、プッシュプル信号を生成する第２の信号生成手段と、
前記プッシュプル信号と、レベル判定用の所定閾値とを比較し、前記プッシュプル信号が前記閾値より大きな値となる期間をオフセット発生期間と判定するプリピット検出手段と、
前記光スポットが前記ランドに形成されている前記ランドプリピットに照射された場合に前記プッシュプル信号に生じる、前記ランドプリピットによるオフセット成分のパターンを示す補償信号を予め記憶すると共に、前記プリピット検出手段が判定する前記オフセット発生期間において、前記補償信号を出力する変調パターン発生手段と、
前記前処理信号に対し前記補償信号を加算、または、前記前処理信号に対し前記補償信号を乗算することにより、前記ＲＦ信号を生成する演算手段と、
を備え、
前記演算手段は、前記光スポットが前記ランドに形成されている前記ランドプリピットに照射される際、前記前処理信号に対し前記補償信号を前記加算または前記乗算することにより、前記ランドプリピットの影響で前処理信号に生じたオフセット成分を前記補償信号で相殺して前記ＲＦ信号を生成すること、
を特徴とする再生装置。
【請求項５】
前記プリピット検出手段で判定される前記オフセット発生期間において、前記演算手段で生成される前記ＲＦ信号を出力し、前記オフセット発生期間を除く期間において、前記前処理信号をＲＦ信号として出力するスイッチ手段、
を更に備えることを特徴とする請求項４に記載の再生装置。
【請求項６】
記録情報が記録され且つウォブルが形成されているグルーブと、ランドプリピットが形成されているランドとを有する記録再生媒体から、前記記録情報を再生する再生装置であって、
前記グルーブに位置合わせして、前記グルーブと前記グルーブの両側の前記ランドとの範囲に光スポットを照射することで線走査を行う光照射手段と、
前記光スポットが照射された前記グルーブと前記ランドとの範囲から反射されてくる反射光を、前記線走査の方向に対して対称に配置された複数の受光領域で検出し、各受光領域に生じる検出信号を出力する光検出手段と、
前記線走査の方向に対して対称に配置された前記受光領域に生じた各検出信号を加算することで、ＲＦ信号を生成するための前処理信号を生成する第１の信号生成手段と、
前記線走査の方向に対して対称に配置された前記受光領域に生じた各検出信号の差を演算して、プッシュプル信号を生成する第２の信号生成手段と、
前記プッシュプル信号から前記ランドプリピットの成分を抽出する第１のフィルタ手段と、
前記プッシュプル信号から前記ウォブルの成分を抽出する第２のフィルタ手段と、
前記前処理信号から前記ランドプリピットの成分を抽出するプリピット成分抽出手段と、
前記前処理信号を包絡線検波することにより、前記ウォブルの成分を示す検波信号を生成する包絡線検波手段と、
前記第１のフィルタ手段で抽出される前記ランドプリピットの成分を、前記プリピット成分抽出手段で抽出される前記ランドプリピットの成分でレベル調整して出力する第１のレベル変換手段と、
前記第２のフィルタ手段で抽出される前記ウォブルの成分を、前記包絡線検波手段で生成される検波信号でレベル調整して出力する第２のレベル変換手段と、
前記第１，第２のレベル変換手段の前記出力を加算して、補償信号を生成する加算手段と、
前記前処理信号に対し前記補償信号を加算、または、前記前処理信号に対し前記補償信号を乗算することにより、前記ＲＦ信号を生成する演算手段と、
を備え、
前記演算手段は、前記光スポットが前記ランドに形成されている前記ランドプリピットに照射される際、前記前処理信号に対し前記補償信号を前記加算または前記乗算することにより、前記ランドプリピットと前記ウォブルの影響で前処理信号に生じたオフセット成分を前記補償信号で相殺して前記ＲＦ信号を生成すること、
を特徴とする再生装置。
【請求項７】
記録情報が記録され且つウォブルが形成されているグルーブと、ランドプリピットが形成されているランドとを有する記録再生媒体から、前記記録情報を再生する再生装置であって、
前記グルーブに位置合わせして、前記グルーブと前記グルーブの両側の前記ランドとの範囲に光スポットを照射することで線走査を行う光照射手段と、
前記光スポットが照射された前記グルーブと前記ランドとの範囲から反射されてくる反射光を、前記線走査の方向に対して対称に配置された複数の受光領域で検出し、各受光領域に生じる検出信号を出力する光検出手段と、
前記線走査の方向に対して対称に配置された前記受光領域に生じた各検出信号を加算することで、ＲＦ信号を生成するための前処理信号を生成する第１の信号生成手段と、
前記線走査の方向に対して対称に配置された前記受光領域に生じた各検出信号の差を演算して、プッシュプル信号を生成する第２の信号生成手段と、
前記プッシュプル信号から前記ランドプリピットの成分を抽出する第１のフィルタ手段と、
前記プッシュプル信号から前記ウォブルの成分を抽出する第２のフィルタ手段と、
前記前処理信号から前記ランドプリピットの成分を抽出するプリピット成分抽出手段と、
前記前処理信号をピークホールド及びボトムホールドし、ピークホールドした値とボトムホールドした値との差分の信号を生成するピーク値検出手段と、
前記差分の信号をフィルタ処理することで、前記ウォブルの成分を示す信号を出力するウォブル成分抽出手段と、
前記第１のフィルタ手段で抽出される前記ランドプリピットの成分を、前記プリピット成分抽出手段で抽出される前記ランドプリピットの成分でレベル調整して出力する第１のレベル変換手段と、
前記第２のフィルタ手段で抽出される前記ウォブルの成分を、前記ウォブル成分抽出手段から出力される前記信号でレベル調整して出力する第２のレベル変換手段と、
前記第１，第２のレベル変換手段の前記出力を加算して、補償信号を生成する加算手段と、
前記前処理信号に対し前記補償信号を加算、または、前記前処理信号に対し前記補償信号を乗算することにより、前記ＲＦ信号を生成する演算手段と、
を備え、
前記演算手段は、前記光スポットが前記ランドに形成されている前記ランドプリピットに照射される際、前記前処理信号に対し前記補償信号を前記加算または前記乗算することにより、前記ランドプリピットと前記ウォブルの影響で前処理信号に生じたオフセット成分を前記補償信号で相殺して前記ＲＦ信号を生成すること、
を特徴とする再生装置。
【請求項８】
記録情報が記録されているグルーブと、ランドプリピットが形成されているランドとを有する記録再生媒体から、前記記録情報を再生する再生装置であって、
前記グルーブに位置合わせして、前記グルーブと前記グルーブの両側の前記ランドとの範囲に光スポットを照射することで線走査を行う光照射手段と、
前記光スポットが照射された前記グルーブと前記ランドとの範囲から反射されてくる反射光を、前記線走査の方向に対して対称に配置された複数の受光領域で検出し、各受光領域に生じる検出信号を出力する光検出手段と、
前記線走査の方向に対して対称に配置された前記受光領域に生じた各検出信号を加算することで、ＲＦ信号を生成するための前処理信号を生成する第１の信号生成手段と、
前記線走査の方向に対して対称に配置された前記受光領域に生じた各検出信号の差を演算して、プッシュプル信号を生成する第２の信号生成手段と、
前記プッシュプル信号と、レベル判定用の所定閾値とを比較し、前記プッシュプル信号が前記閾値より大きな値となる期間をオフセット発生期間と判定するプリピット検出手段と、
前記光スポットが前記ランドに形成されている前記ランドプリピットに照射された場合に前記前処理信号に生じる、前記ランドプリピットによるオフセット成分の通過を阻止する周波数特性を有するフィルタ手段と、
を備え、
前記フィルタ手段は、前記前処理信号を入力すると共に、前記プリピット検出手段が判定する前記オフセット発生期間において、前処理信号に生じるオフセット成分の通過を阻止して前記ＲＦ信号を出力し、前記オフセット発生期間を除く期間において、前記前処理信号をＲＦ信号として出力すること、
を特徴とする再生装置。
【発明の詳細な説明】
【０００１】
【発明の属する技術分野】
本発明は、記録再生媒体から情報を再生する再生装置に関し、特に、雑音を抑えて情報を高精度で再生する再生装置に関するものである。
【０００２】
【従来の技術】
従来、この種の記録再生媒体として、映像や音声、コンピュータデータ等のマルチメディア情報を高密度記録することが可能なＤＶＤ（デジタルビデオディスク又はデジタルバーサタイルディスク）が知られている。ＤＶＤには、先駆けて普及した再生専用のＤＶＤ−ＲＯＭのほか、追記録が可能なＤＶＤ−Ｒ（追記型ＤＶＤ）と、再書き込みが可能なＤＶＤ−ＲＷ（DVD-Rewritable）が知られている。
【０００３】
ＤＶＤ−ＲとＤＶＤ−ＲＷには、制御情報、アドレス情報等の各種情報を物理フォーマットとして予め記録しておくため、図１２に示すように、グルーブ（Groove）ＧＢに一定周期のうねり（ウォブル；Wobble）が形成されると共に、グルーブＧＢ間のランド（Land）ＬＮにランドプリピット（Land pre-pit）ＬＰが形成されており、記録層として有機色素等が塗布されている。そして、マルチメディア情報は、所定の変換処理が施された後、グルーブＧＢ上に照射され、有機色素等を熱変成させることにより、ピットとして記録される。これをグルーブピットと呼んでいる。
【０００４】
一方、再生装置は、光ビームをグルーブＧＢに位置付けて照射し、光ビームによる光スポットＳＰを線走査方向θｔに走査するときに生じる反射光を光検出器ＳＮＳ等で検出することにより、各種情報を含んだ検出信号を生成するようにしている。
【０００５】
例えば、４等分された受光領域を有する光検出器ＳＮＳを配置しておき、光スポットＳＰの照射面Ａ，Ｂ，Ｃ，Ｄから反射されてくる各反射光を各受光領域で受光することで、各照射面Ａ，Ｂ，Ｃ，Ｄの情報を有する検出信号を発生させる。更に、これらの検出信号を加減算器ＳＭ１，ＳＭ２等で演算処理することにより、上記グルーブピットの情報を有するＲＦ信号（＝Ａ＋Ｂ＋Ｃ＋Ｄ）と、フォーカスエラー情報を有する信号（＝Ａ＋Ｃ−Ｂ−Ｄ）と、トラッキングエラーやアドレスや光スポットＳＰの線走査方向θｔの移動速度等の情報を含んだプッシュプル信号（＝Ａ＋Ｄ−Ｂ−Ｃ）を生成するようにしている。
【０００６】
【発明が解決しようとする課題】
しかしながら、上記従来の再生装置では、光検出器から出力される検出信号に基づいてＲＦ信号を生成した場合に、ＲＦ信号にオフセット成分等が重畳してしまい、本来求めたいＲＦ信号を高精度で生成できない場合があった。
【０００７】
例えば、記録層のうちランドプリピットＬＰに対応する領域で厚みむらが発生しやすいため、ランドプリピットＬＰの近傍を走査したときに得られる検出信号に基づいてＲＦ信号を生成すると、その厚みむらに起因するオフセット成分等がそのＲＦ信号中に重畳してしまう場合があった。
【０００８】
図１３に基づいて、ランドプリピットＬＰに対応する記録層の領域に厚みむらが存在している場合の問題点を、より具体的に述べることとする。光スポットＳＰがグルーブＧＢ上を走査すると、その反射光は上記グルーブピットにより明暗としての変調を受ける。図１３では、この反射光の強度変化を、便宜上のこぎり波として示している。
【０００９】
光スポットＳＰがランドプリピットＬＰを通過する際には、光検出器ＳＮＳはグルーブＧＢとランドプリピットＬＰからの反射光を受光することとなる。ランドプリピットＬＰからの反射光の成分を有する検出信号の和（Ａ＋Ｄ）と、ランドプリピットＬＰからの反射光の成分を有さない検出信号の和（Ｂ＋Ｃ）のそれぞれのレベルが、同図（ａ）（ｂ）に示すように変化する。
【００１０】
ここで、ランドプリピットＬＰ近傍の記録層に厚みむらが存在していなければ、検出信号の和（Ａ＋Ｄ）と（Ｂ＋Ｃ）の振幅変化が同位相で発生し、更に振幅変化の絶対値が等しくなるため、同図（ｃ）に示すように、ＳＵＭ＝（Ａ＋Ｄ）＋（Ｂ＋Ｃ）で表されるＲＦ信号には、オフセット成分等が重畳しない。
【００１１】
ところが、記録層に厚みむらが存在していると、検出信号の和（Ａ＋Ｄ）と（Ｂ＋Ｃ）の振幅変化が同位相では発生せず、更に振幅変化の絶対値が異なるため、同図（ｄ）に示すように、ＳＵＭ’＝（Ａ＋Ｄ）＋（Ｂ＋Ｃ）で表されるＲＦ信号にオフセット成分が重畳することとなり、このオフセット成分等がＲＦ信号に対して雑音成分になるという問題があった。
【００１２】
本発明は、上記従来の問題点に鑑みてなされたものであり、ＲＦ信号にオフセット成分等の雑音成分が重畳するのを未然に防止し、ＲＦ信号を高精度で得ることが可能な再生装置を提供することを目的とする。
【００１３】
【課題を解決するための手段】
請求項１に記載の発明は、記録情報が記録されているグルーブと、ランドプリピットが形成されているランドとを有する記録再生媒体から、前記記録情報を再生する再生装置であって、前記グルーブに位置合わせして、前記グルーブと前記グルーブの両側の前記ランドとの範囲に光スポットを照射することで線走査を行う光照射手段と、前記光スポットが照射された前記グルーブと前記ランドとの範囲から反射されてくる反射光を、前記線走査の方向に対して対称に配置された複数の受光領域で検出し、各受光領域に生じる検出信号を出力する光検出手段と、前記線走査の方向に対して対称に配置された前記受光領域に生じた各検出信号を加算することで、ＲＦ信号を生成するための前処理信号を生成する第１の信号生成手段と、前記線走査の方向に対して対称に配置された前記受光領域に生じた各検出信号の差を演算して、プッシュプル信号を生成する第２の信号生成手段と、前記プッシュプル信号から前記ランドプリピットの成分を抽出するフィルタ手段と、前記前処理信号に対し前記ランドプリピットの成分を加算、または、前記前処理信号に対し前記ランドプリピットの成分を乗算することにより、前記ＲＦ信号を生成する演算手段と、を備え、前記演算手段は、前記光スポットが前記ランドに形成されている前記ランドプリピットに照射される際、前記前処理信号に対し前記ランドプリピットの成分を前記加算または前記乗算することにより、前記ランドプリピットの影響で前処理信号に生じたオフセット成分を前記ランドプリピットの成分で相殺して前記ＲＦ信号を生成すること、を特徴とする。
【００１４】
請求項４に記載の発明は、記録情報が記録されているグルーブと、ランドプリピットが形成されているランドとを有する記録再生媒体から、前記記録情報を再生する再生装置であって、前記グルーブに位置合わせして、前記グルーブと前記グルーブの両側の前記ランドとの範囲に光スポットを照射することで線走査を行う光照射手段と、前記光スポットが照射された前記グルーブと前記ランドとの範囲から反射されてくる反射光を、前記線走査の方向に対して対称に配置された複数の受光領域で検出し、各受光領域に生じる検出信号を出力する光検出手段と、前記線走査の方向に対して対称に配置された前記受光領域に生じた各検出信号を加算することで、ＲＦ信号を生成するための前処理信号を生成する第１の信号生成手段と、前記線走査の方向に対して対称に配置された前記受光領域に生じた各検出信号の差を演算して、プッシュプル信号を生成する第２の信号生成手段と、前記プッシュプル信号と、レベル判定用の所定閾値とを比較し、前記プッシュプル信号が前記閾値より大きな値となる期間をオフセット発生期間と判定するプリピット検出手段と、前記光スポットが前記ランドに形成されている前記ランドプリピットに照射された場合に前記プッシュプル信号に生じる、前記ランドプリピットによるオフセット成分のパターンを示す補償信号を予め記憶すると共に、前記プリピット検出手段が判定する前記オフセット発生期間において、前記補償信号を出力する変調パターン発生手段と、前記前処理信号に対し前記補償信号を加算、または、前記前処理信号に対し前記補償信号を乗算することにより、前記ＲＦ信号を生成する演算手段と、を備え、前記演算手段は、前記光スポットが前記ランドに形成されている前記ランドプリピットに照射される際、前記前処理信号に対し前記補償信号を前記加算または前記乗算することにより、前記ランドプリピットの影響で前処理信号に生じたオフセット成分を前記補償信号で相殺して前記ＲＦ信号を生成すること、を特徴とする。
【００１５】
請求項６に記載の発明は、記録情報が記録され且つウォブルが形成されているグルーブと、ランドプリピットが形成されているランドとを有する記録再生媒体から、前記記録情報を再生する再生装置であって、前記グルーブに位置合わせして、前記グルーブと前記グルーブの両側の前記ランドとの範囲に光スポットを照射することで線走査を行う光照射手段と、前記光スポットが照射された前記グルーブと前記ランドとの範囲から反射されてくる反射光を、前記線走査の方向に対して対称に配置された複数の受光領域で検出し、各受光領域に生じる検出信号を出力する光検出手段と、前記線走査の方向に対して対称に配置された前記受光領域に生じた各検出信号を加算することで、ＲＦ信号を生成するための前処理信号を生成する第１の信号生成手段と、前記線走査の方向に対して対称に配置された前記受光領域に生じた各検出信号の差を演算して、プッシュプル信号を生成する第２の信号生成手段と、前記プッシュプル信号から前記ランドプリピットの成分を抽出する第１のフィルタ手段と、前記プッシュプル信号から前記ウォブルの成分を抽出する第２のフィルタ手段と、前記前処理信号から前記ランドプリピットの成分を抽出するプリピット成分抽出手段と、前記前処理信号を包絡線検波することにより、前記ウォブルの成分を示す検波信号を生成する包絡線検波手段と、前記第１のフィルタ手段で抽出される前記ランドプリピットの成分を、前記プリピット成分抽出手段で抽出される前記ランドプリピットの成分でレベル調整して出力する第１のレベル変換手段と、前記第２のフィルタ手段で抽出される前記ウォブルの成分を、前記包絡線検波手段で生成される検波信号でレベル調整して出力する第２のレベル変換手段と、前記第１，第２のレベル変換手段の前記出力を加算して、補償信号を生成する加算手段と、前記前処理信号に対し前記補償信号を加算、または、前記前処理信号に対し前記補償信号を乗算することにより、前記ＲＦ信号を生成する演算手段と、を備え、前記演算手段は、前記光スポットが前記ランドに形成されている前記ランドプリピットに照射される際、前記前処理信号に対し前記補償信号を前記加算または前記乗算することにより、前記ランドプリピットと前記ウォブルの影響で前処理信号に生じたオフセット成分を前記補償信号で相殺して前記ＲＦ信号を生成すること、を特徴とする。
【００１６】
請求項１、４，６に記載の発明によると、ＲＦ信号中にオフセット成分等の雑音成分が含まれた場合に、ピット信号に基づいてＲＦ信号を変調することによって雑音成分が相殺され、雑音成分の除去されたＲＦ信号が生成される。
【００２１】
請求項７に記載の発明は、記録情報が記録され且つウォブルが形成されているグルーブと、ランドプリピットが形成されているランドとを有する記録再生媒体から、前記記録情報を再生する再生装置であって、前記グルーブに位置合わせして、前記グルーブと前記グルーブの両側の前記ランドとの範囲に光スポットを照射することで線走査を行う光照射手段と、前記光スポットが照射された前記グルーブと前記ランドとの範囲から反射されてくる反射光を、前記線走査の方向に対して対称に配置された複数の受光領域で検出し、各受光領域に生じる検出信号を出力する光検出手段と、前記線走査の方向に対して対称に配置された前記受光領域に生じた各検出信号を加算することで、ＲＦ信号を生成するための前処理信号を生成する第１の信号生成手段と、前記線走査の方向に対して対称に配置された前記受光領域に生じた各検出信号の差を演算して、プッシュプル信号を生成する第２の信号生成手段と、前記プッシュプル信号から前記ランドプリピットの成分を抽出する第１のフィルタ手段と、前記プッシュプル信号から前記ウォブルの成分を抽出する第２のフィルタ手段と、前記前処理信号から前記ランドプリピットの成分を抽出するプリピット成分抽出手段と、前記前処理信号をピークホールド及びボトムホールドし、ピークホールドした値とボトムホールドした値との差分の信号を生成するピーク値検出手段と、前記差分の信号をフィルタ処理することで、前記ウォブルの成分を示す信号を出力するウォブル成分抽出手段と、前記第１のフィルタ手段で抽出される前記ランドプリピットの成分を、前記プリピット成分抽出手段で抽出される前記ランドプリピットの成分でレベル調整して出力する第１のレベル変換手段と、前記第２のフィルタ手段で抽出される前記ウォブルの成分を、前記ウォブル成分抽出手段から出力される前記信号でレベル調整して出力する第２のレベル変換手段と、前記第１，第２のレベル変換手段の前記出力を加算して、補償信号を生成する加算手段と、前記前処理信号に対し前記補償信号を加算、または、前記前処理信号に対し前記補償信号を乗算することにより、前記ＲＦ信号を生成する演算手段と、を備え、前記演算手段は、前記光スポットが前記ランドに形成されている前記ランドプリピットに照射される際、前記前処理信号に対し前記補償信号を前記加算または前記乗算することにより、前記ランドプリピットと前記ウォブルの影響で前処理信号に生じたオフセット成分を前記補償信号で相殺して前記ＲＦ信号を生成すること、を特徴とする。
【００２２】
請求項７に記載の発明によると、ＲＦ信号中にオフセット成分等の雑音成分が含まれた場合に、ピット信号とウォブル信号に基づいてＲＦ信号を変調することによって雑音成分が相殺され、雑音成分の除去されたＲＦ信号が生成される。
【００２３】
【発明の実施の形態】
以下、本発明の実施の形態を図面を参照して説明する。尚、ウォブルしたグルーブとそのグルーブ間のランドにランドプリピットが形成されているＤＶＤ−ＲやＤＶＤ−ＲＷ等の光ディスクを用いる再生装置についての実施形態を説明する。
【００２４】
図１は、本実施形態に係る再生装置の構成を示すブロック図である。同図において、本再生装置には、光ディスク１に対して光スポットＳＰを照射しそれによって生じる反射光を検出する光ピックアップ２と、光ディスク１を保持しつつ線走査方向θｔに一定速度で回転させるスピンドルモータ３と、光ピックアップ２に設けられている複数軸のアクチュエータ（図示略）を制御して、所謂トラッキングサーボとチルトサーボ及びフォーカスサーボ等を行うアクチュエータ駆動回路４と、スピンドルモータ３を回転させるためのスピンドル駆動回路５が備えられている。
【００２５】
光ディスク１は、図２（ａ）に示すように、情報が記録されるウォブルしたグルーブ６と、グルーブ６間のランド７に形成されたランドプリピット８とを備えた構造を有し、グルーブ６には、線走査方向θｔに相対移動する光ピックアップ２からの光スポットＳＰが照射される。その光スポットＳＰによって生じる反射光を、光ピックアップ２に内蔵されている光学系で集光して光検出器９で検出することにより、グルーブ６とランドプリピット８の情報を含んだ検出信号を生成するようになっている。
【００２６】
本実施形態では、光ピックアップ２には、図２（ｂ）に示すように、４等分された受光領域を有するフォトダイオード等の光検出器９が設けられている。そして、光スポットＳＰの照射面Ａ，Ｂ，Ｃ，Ｄから反射されてくる各反射光を各受光領域で受光することにより、各照射面Ａ，Ｂ，Ｃ，Ｄの情報を有する検出信号を生成し、更に、各受光領域から出力される各検出信号を電流電圧変換器１０Ａ，１０Ｂ，１０Ｃ，１０Ｄが電圧に変換して出力するようになっている。
【００２７】
尚、説明の都合上、以下の説明では、これらの電流電圧変換器１０Ａ，１０Ｂ，１０Ｃ，１０Ｄから出力される検出信号を、光スポットＳＰの照射面Ａ，Ｂ，Ｃ，Ｄに対応づけて、Ａ，Ｂ，Ｃ，Ｄの符号で示すこととする。
【００２８】
再び図１において、光ピックアップ２からの検出信号Ａ，Ｂ，Ｃ，Ｄを入力するＲＦ信号生成回路１１とプッシュプル信号生成回路１２及びサーボ信号生成回路１３が備えられている。
【００２９】
ここで、ＲＦ信号生成回路１１は、検出信号Ａ，Ｂ，Ｃ，Ｄについて、（Ａ＋Ｂ＋Ｃ＋Ｄ）の加算演算を行い、本来のＲＦ信号を生成するための前段階の信号（以下、前処理信号という）ＳRFFを生成して出力する。プッシュプル信号生成回路１２は、（Ａ＋Ｄ−Ｂ−Ｃ）の演算を行い、アドレス情報や光スポットＳＰの線走査方向θｔの移動速度情報等を含んだプッシュプル信号ＳPPを生成して出力する。
【００３０】
サーボ信号生成回路１３は、（Ａ＋Ｃ−Ｂ−Ｄ）の演算を行うことにより、フォーカスエラーの情報を有する信号ＳFCを生成して出力する。更に、サーボ信号生成回路１３は、（Ａ＋Ｄ−Ｂ−Ｃ）の演算を行うことにより、トラッキングエラーの情報を有する信号ＳTKを生成して出力する。
【００３１】
ＲＦ信号生成回路１１には、ＲＦ信号変調回路１４とＲＦ信号２値化回路１５及びＲＦ信号復調回路１６が従属接続されている。プッシュプル信号生成回路１２には、スピンドルエラー信号処理回路１７と選択回路１８が従属接続されている。サーボ信号生成回路１３には、サーボ信号処理回路１９が接続されている。
【００３２】
そして、マイクロプロセッサを有するコントローラ２０が、ＲＦ信号復調回路１６と選択回路１８及びサーボ信号処理回路１９の動作を制御するほか、本再生装置全体の動作を集中制御するようになっている。
【００３３】
スピンドルエラー信号生成回路１７は、予め内蔵されている発振器（図示略）で生成される一定周波数の同期信号とプッシュプル信号ＳPPとの位相差を検出し、その位相差をゼロにするためのスピンドル制御信号ＳCSPを生成して、選択回路１８を通じてスピンドル駆動回路５に供給する。
【００３４】
すなわち、スピンドルエラー信号生成回路１７は、プッシュプル信号ＳPPに基づいてスピンドル制御信号ＳCSPを生成し、このスピンドル制御信号ＳCSP1をスピンドル駆動回路５に供給することで、スピンドルモータ３の回転速度を一定に保つためのサーボ制御を行う。
【００３５】
サーボ信号処理回路１９は、サーボ信号生成回路１３からの信号ＳFCに基づいて、光ピックアップ２に設けられている対物レンズと光ディスクとの距離を検出し、予め決められている目標値とその検出した距離との差分をゼロにするための制御信号、すなわちフォーカスサーボのための制御信号を生成する。
【００３６】
更に、サーボ信号処理回路１９では、信号ＳTKに基づいて、上記対物レンズから射出される光ビームがグルーブ６から外れているか否かの検出、すなわちトラッキングエラーの検出が行われ、このトラッキングエラーを補償するための制御信号が生成される。
【００３７】
そして、サーボ信号処理回路１９で生成された上記の各制御信号ＳAKがアクチュエータ駆動回路４に供給されることで、光ピックアップ２と光ディスク１との相対位置が高精度でサーボ制御されるようになっている。
【００３８】
ＲＦ信号変調回路１４は、前処理信号ＳRFFとプッシュプル信号ＳPPを入力し、プッシュプル信号ＳPPの波形変化を抽出し、その抽出結果に基づいて前処理信号ＳRFFに所定の変調処理を施すことにより、従来問題となっていたオフセット成分を除去し、オフセット成分の除去されたＲＦ信号ＳRFを出力する。
【００３９】
ＲＦ信号２値化回路１５は、オフセット成分の除去されたＲＦ信号ＳRFを波形整形することにより、２値のＲＦ信号ＳRF01を生成して出力する。
【００４０】
ＲＦ信号復調回路１６は、ＲＦ信号ＳRF01について周知の復調処理を行うことにより、グルーブ６に記録されていた音声情報や映像情報等を有する再生データＤoutを生成して出力する。更に、ＲＦ信号復調回路１６では、ＲＦ信号ＳRF01と予め内蔵されている発振器（図示略）で生成される一定周波数の同期信号との位相差が検出され、その位相差をゼロにするためのスピンドル制御信号ＳCSP2が生成され、そのスピンドル制御信号ＳCSP2は選択回路１８を通じてスピンドル駆動回路５に供給される。
【００４１】
尚、このスピンドル制御信号ＳCSP2とスピンドルエラー信号生成回路１７で生成されるスピンドル制御信号ＳCSP1のいずれをスピンドル駆動回路５に供給してスピンドル制御を行うかは、コントローラ２０の指令に従って選択回路１８が切り換えるようになっている。
【００４２】
次に、ＲＦ信号変調回路１４のより具体的な構成例を図３ないし図１１を参照して説明する。
【００４３】
（第１の構成例）
図３は、ＲＦ信号変調回路１４の第１の構成例を示すブロック図である。
同図において、このＲＦ信号変調回路１４は、前処理信号ＳRFFを入力するアナログ加算器又はアナログ乗算器で構成された演算器１００のほか、レベル変換回路１０１と、所定のカットオフ周波数ｆcに設定された高域通過型のフィルタ回路（ハイパスフィルタ）１０２と、アナログスイッチ１０３，１０４と、インバータ（論理反転回路）１０５、及びプリピット検出回路１０６を備えて構成されている。
【００４４】
ここで、フィルタ回路１０２は、プッシュプル信号生成回路１２から供給されるプッシュプル信号ＳPP中の高周波成分を抽出することにより、ランドプリピット８近傍で生じるオフセット成分等を表すオフセット信号ＳEV’を生成する。
【００４５】
レベル変換回路１０１は、アッテネータや可変増幅器等で構成されており、オフセット信号ＳEV’の振幅に比例した値を示すオフセット補償信号ＳEVを出力する。すなわち、アッテネータの電圧分割比や可変増幅器の増幅率を係数ｋ1とすると、オフセット補償信号ＳEVは、ＳEV＝ｋ1×ＳEV’の関係で設定され、この結果、図１１の波形図に示すようなオフセット補償信号ＳEVが生成される。尚、係数ｋは、微調整可能となっている。
【００４６】
演算器１００は、前処理信号ＳRFFにオフセット補償信号ＳEVを加算又は乗算することにより、前処理信号ＳRFFからオフセット成分等を除去し、その除去されたＲＦ信号ＳRFを出力する。
【００４７】
すなわち、演算器１００がアナログ加算器で構成された場合には、図１１に示したように、前処理信号ＳRFF中のオフセット成分等にオフセット補償信号ＳEVが加算されることで、そのオフセット成分等と補償信号信号ＳEVが相殺されるため、オフセット成分等の除去されたＲＦ信号ＳRFが生成される。
【００４８】
一方、演算器１００がアナログ乗算器で構成された場合には、前処理信号ＳRFF中のオフセット成分等がオフセット補償信号ＳEVによって振幅変調されるため、オフセット成分等の低減されたＲＦ信号ＳRFが生成される。
【００４９】
プリピット検出回路１０６は、プッシュプル信号ＳPPを予め決められたしきい値ＶTHDによって比較し、プッシュプル信号ＳPPがしきい値ＶTHDより大きな振幅となる期間をオフセット発生期間と判定する。そして、このオフセット発生期間だけ論理レベル“Ｈ”となる矩形波のゲート信号ＳGTを出力する。
【００５０】
インバータ１０５は、ゲート信号ＳGTを論理反転することによって反転ゲート信号ＳGTBを出力する。アナログスイッチ１０３，１０４は、それぞれ反転ゲート信号ＳGTBとゲート信号ＳGTによって相反的にオンオフ制御が行われる。したがって、図１１に示したように、前処理信号ＳRFFにオフセット成分等が現れる期間（オフセット発生期間）だけアナログスイッチ１０４がオン、アナログスイッチ１０３がオフ状態となり、演算器１００の処理によってオフセット成分等が除去されたＲＦ信号ＳRFがアナログスイッチ１０４を通じて出力される。
【００５１】
また、前処理信号ＳRFFにオフセット成分等が現れない期間（オフセット発生期間以外の期間）では、アナログスイッチ１０４がオフ、アナログスイッチ１０３がオン状態となり、前処理信号ＳRFFのうちオフセット成分等が含まれていない信号がＲＦ信号ＳRFとしてアナログスイッチ１０３を通じて出力される。
【００５２】
このように、図３に示したＲＦ信号変調回路１４によると、オフセット成分等の除去されたＲＦ信号ＳRFが生成されるため、ＲＦ信号２値化回路１５とＲＦ信号復調回路１６にこのＲＦ信号ＳRFが供給されることで、グルーブ６に記録されているマルチメディア情報を有する再生データＤoutが高精度で再生される。また、精度の良いスピンドル制御信号ＳCSP2を生成することが可能となるため、高精度のサーボ制御が可能となる。
【００５３】
（第２の構成例）
次に、ＲＦ信号変調回路１４の第２の構成例を図４を参照して説明する。尚、図４において、図３と同一又は相当する部分を同一符号で示している。この構成例の特徴は、フィルタ回路（ハイパスフィルタ）１０２から出力されるオフセット信号ＳEV’を予め決められたしき値ＶTHD1と比較するレベル検出回路１０７が設けられている点にある。
【００５４】
このレベル検出回路１０７は、オフセット信号ＳEV’がしき値ＶTHD1より大きくなる期間をオフセット発生期間として判定し、そのオフセット発生期間に限り、レベル変換回路１０１に対してオフセット信号ＳEV’のレベル調整を行わせる。
【００５５】
かかる構成のＲＦ信号変調回路１４によると、レベル検出回路１０７によってオフセット発生期間が高精度で検出されることとなる。このため、演算器１００は、レベル変換器１０１から供給されるオフセット補償信号ＳEVに基づいて前処理信号ＳRFF中に含まれているオフセット成分等をより確実に除去することができ、ひいては、高精度の再生データＤoutとスピンドル制御信号ＳCSP2を生成することができる。
【００５６】
（第３の構成例）
次に、ＲＦ信号変調回路１４の第３の構成例を図５を参照して説明する。尚、図５において、図３と同一又は相当する部分を同一符号で示している。この構成例の特徴は、オフセット成分等を除去するための変調パターンデータを予め記憶した読み出し専用メモリ（ＲＯＭ）と、その変調パターンデータをＤ／Ａ変換器（図示略）によってアナログのオフセット補償信号ＳEVに変換して出力する変調パターン発生回路１０８が設けられている点にある。
【００５７】
そして、変調パターン発生回路１０８は、プリピット検出回路１０６からのゲート信号ＳGTが論理“Ｈ”となるオフセット発生期間において、上記読み出し専用メモリ（ＲＯＭ）から変調パターンデータを読み出し、Ｄ／Ａ変換器でデジタル／アナログ変換することで得られるオフセット補償信号ＳEVを演算器１００に供給する。
【００５８】
かかる構成のＲＦ信号変調回路１４によると、演算器１００における加算又は乗算処理によって、前処理信号ＳRFF中のオフセット成分等とオフセット補償信号ＳEVとが相殺されることとなり、高精度の再生データＤoutとスピンドル制御信号ＳCSP2を生成することができる。
【００５９】
（第４の構成例）
次に、ＲＦ信号変調回路１４の第４の構成例を図６を参照して説明する。尚、図６において、図３と同一又は相当する部分を同一符号で示している。
【００６０】
このＲＦ信号変調回路１４は、前処理信号ＳRFF中に含まれているプリピット成分を抽出するプリピット成分抽出回路１０９と、前処理信号ＳRFFのエンベロープ成分を検波する包絡線検波回路１１０とを備えるほか、プッシュプル信号ＳPP中からランドプリピット８の成分とウォブルの成分をそれぞれ抽出するフィルタ回路１１３，１１５と、プリピット成分抽出回路１０９からの抽出信号Ｓ１に基づいてフィルタ回路１１３からの出力信号Ｓ３の振幅を調整するレベル変換回路１１２と、包絡線検波回路１１０からの検波信号Ｓ２に基づいてフィルタ回路１１５からの出力信号Ｓ４の振幅を調整するレベル変換回路１１４とを備え、更に、レベル変換回路１１２，１１４から出力される出力信号Ｓ５，Ｓ６を加算して演算回路１００に供給するアナログ加算回路１１１を備えて構成されている。
【００６１】
ここで、プリピット成分抽出回路１０９は、前処理信号ＳRFFに含まれるプリピット成分を通過させる周波数特性を有するフィルタで構成されている。フィルタ回路１１３は、プッシュプル信号ＳPPに含まれるプリピット成分を通過させる周波数特性を有するハイパスフィルタで構成されており、フィルタ回路１１５は、プッシュプル信号ＳPPに含まれるウォブル成分を通過させる周波数特性を有するバンドパスフィルタで構成されている。そして、プリピット成分抽出回路１０９とフィルタ回路１１３，１１５の何れの周波数特性も、予め実験などによって得られた結果に基づいて設定されている。
【００６２】
レベル変換回路１１２，１１４は、抽出信号Ｓ１と検波信号Ｓ２の振幅に応じて増幅率を変化させるアッテネータや可変増幅器等で構成されている。
【００６３】
かかる構成のＲＦ信号変調回路１４によると、レベル変換回路１１２が抽出信号Ｓ１に比例した増幅率で出力信号Ｓ３を増幅するため、前処理信号ＳRFF中に含まれているランドプリピット８に起因するオフセット成分と、プッシュプル信号ＳPP中に含まれているランドプリピット８に起因するオフセット成分との間での相関の強いオフセット成分を表す出力信号Ｓ５が生成される。
【００６４】
また、レベル変換回路１１４でも、検波信号Ｓ２に比例した増幅率で出力信号Ｓ４が増幅されるため、前処理信号ＳRFF中に含まれているウォブルに起因するオフセット成分と、プッシュプル信号ＳPP中に含まれているウォブルに起因するオフセット成分との間での相関の強いオフセット成分を表す出力信号Ｓ６が生成される。
【００６５】
そして、アナログ加算器１１１が、これらの出力信号Ｓ５，Ｓ６を加算することにより、ランドプリピット８近傍で生じるオフセット成分を抽出し、このオフセット成分を含んだオフセット補償信号ＳEVを演算器１００に供給する。したがって、演算器１００は、前処理信号ＳRFFにオフセット補償信号ＳEVを加算または乗算することで、前処理信号ＳRFF中に含まれているランドプリピット８に起因するオフセット成分とウォブルに起因するオフセット成分とを除去する。
【００６６】
このように、この第４の構成例では、ランドプリピット８に起因するオフセット成分とウォブルに起因するオフセット成分とが除去されたＲＦ信号ＳRFを生成することができるため、高精度の再生データＤoutとスピンドル制御信号ＳCSP2が得られる。
【００６７】
（第５の構成例）
次に、ＲＦ信号変調回路１４の第５の構成例を図７を参照して説明する。尚、図７において、図６と同一又は相当する部分を同一符号で示している。この構成例では、ピーク値検出回路１１６とウォブル成分抽出回路１１７が設けられた点に特徴を有している。
【００６８】
ピーク値検出回路１１６は、前処理信号ＳRFFの振幅についてピークホールドとボトムホールドを行い、ピークホールドによって得られる第１の値とボトムホールドによって得られる第２の値との差分を求めることで、差分信号Ｓ７を生成する。
【００６９】
ウォブル成分抽出回路１１７は、ウォブル成分の周波数特性に合わせられた低域通過フィルタで構成されており、差分信号Ｓ７中のウォブル成分に相当する信号Ｓ２を出力する。
【００７０】
かかる構成によると、レベル変換回路１１２が抽出信号Ｓ１に比例した増幅率で抽出信号Ｓ３を増幅するため、前処理信号ＳRFF中に含まれているランドプリピット８近傍のオフセット成分等と、プッシュプル信号ＳPP中に含まれているランドプリピット８近傍のオフセット成分等との間での相関の強いオフセット成分等を表す変調信号Ｓ５が生成される。
【００７１】
また、レベル変換回路１１４でも、信号Ｓ２に比例した増幅率で抽出信号Ｓ４が増幅されるため、前処理信号ＳRFF中に含まれているウォブルに起因するオフセット成分等と、プッシュプル信号ＳPP中に含まれているウォブルに起因するオフセット成分等との間での相関の強いオフセット成分等を表す変調信号Ｓ６が生成される。
【００７２】
そして、アナログ加算器１１１が、これらの変調信号Ｓ５，Ｓ６を加算することにより、ランドプリピット８近傍のオフセット成分等とウォブルに起因するオフセット成分等との両方を含んだオフセット補償信号ＳEVを生成して演算器１００に供給する。したがって、演算器１００は、前処理信号ＳRFFにオフセット補償信号ＳEVを加算または乗算することで、前処理信号ＳRFF中のオフセット成分等を相殺させ、これらのオフセット成分等の除かれたＲＦ信号ＳRFを出力する。
【００７３】
（第６の構成例）
次に、ＲＦ信号変調回路１４の第６の構成例を図８を参照して説明する。同図において、この構成例は、ＲＦ信号生成回路１１からの前処理信号ＳRFFを入力するアナログ加算器又はアナログ乗算器で構成された演算器２００と、レベル変換回路２０１と、レベル検出回路２０２と、所定のカットオフ周波数ｆcに設定された高域通過型のフィルタ回路（ハイパスフィルタ）２０３とを備えて構成されている。
【００７４】
ここで、フィルタ回路２０３は、プッシュプル信号生成回路１２から供給されるプッシュプル信号ＳPP中の低周波成分を除去することにより、カットオフ周波数ｆcより高周波数の成分、すなわち、ランドプリピット８近傍でのオフセット成分等を表すオフセット信号ＳEV’を生成する。
【００７５】
レベル変換回路２０１は、入力に対する出力のレベルを所定の比率で調整するアッテネータや可変増幅器等で構成されており、オフセット信号ＳEV’を振幅調整することにより、オフセット補償信号ＳEVを生成して出力する。
【００７６】
レベル検出回路２０２は、オフセット信号ＳEV’を予め決められたしき値ＶTHD2と比較し、しき値ＶTHD2よりオフセット信号ＳEV’が大きくなる期間に限って、レベル変換回路２０１に対してオフセット信号ＳEV’のレベル調整を行わせて、オフセット補償信号ＳEVを出力させる。
【００７７】
かかる構成によると、レベル変換回路２０１から演算器２００に、前処理信号ＳRFF中に含まれているオフセット成分等に相当するオフセット補償信号ＳEVが供給され、前処理信号ＳRFFに対してオフセット補償信号ＳEVが加算又は乗算されることで、オフセット成分等の除去されたＲＦ信号ＳRFが生成される。
【００７８】
（第７の構成例）
次に、ＲＦ信号変調回路１４の第７の構成例を図９を参照して説明する。同図において、この構成例は、ＲＦ信号生成回路１１からの前処理信号ＳRFFを入力するアナログ加算器又はアナログ乗算器で構成された演算器２００と、変調パターン発生回路２０４と、プリピット検出回路２０５を備えて構成されている。
【００７９】
ここで、プリピット検出回路２０５は、予め決められたしきい値ＶTHDとプッシュプル信号ＳPPとを比較し、プッシュプル信号ＳPPがしきい値ＶTHDより大きな振幅となる期間をオフセット発生期間と判定し、そのオフセット発生期間を示すゲート信号ＳGTを出力する。
【００８０】
変調パターン発生回路２０４は、オフセット成分等を除去するための変調パターンデータを予め記憶している読み出し専用メモリ（ＲＯＭ）とそのデータをアナログのオフセット補償信号ＳEVに変換して出力するＤ／Ａ変換器等を備えて構成されており、プリピット検出回路２０５からのゲート信号ＳGTに基づいて、オフセット発生期間だけオフセット補償信号ＳEVを演算器１００に供給する。
【００８１】
かかる構成のＲＦ信号変調回路１４によると、演算器２００が、前処理信号ＳRFF中のオフセット成分等をオフセット補償信号ＳEVに基づいて除去することとなり、ひいては高精度の再生データＤoutとスピンドル制御信号ＳCSP2の生成を可能にする。
【００８２】
（第８の構成例）
次に、ＲＦ信号変調回路１４の第８の構成例を図１０を参照して説明する。同図において、この構成例は、フィルタ回路２０６と、プリピット検出回路２０７を備えて構成されている。ここで、プリピット検出回路２０７は、予め決められたしきい値ＶTHDとプッシュプル信号ＳPPとを比較し、プッシュプル信号ＳPPがしきい値ＶTHDより大きな振幅となる期間をオフセット発生期間と判定し、そのオフセット発生期間を示すゲート信号ＳGTを出力する。
【００８３】
フィルタ回路２０６は、前処理信号ＳRFFに含まれるランドプリピット８近傍のオフセット成分の通過を阻止し、残余の周波数成分を通過させる周波数特性に設定されている。また、この周波数特性は、実験等によって予め決められている。  更に、フィルタ回路２０６は、ゲート信号ＳGTで指定されるオフセット発生期間だけ、前処理信号ＳRFFに含まれる高域成分を通過させ、オフセット発生期間以外の期間では、前処理信号ＳRFFをそのまま通過（全周波数成分を通過）させるように動作する。
【００８４】
かかる構成のＲＦ信号変調回路１４によると、ゲート信号ＳGTによって設定されるオフセット発生期間では、前処理信号ＳRFFに含まれている低い周波数のオフセット成分等がフィルタ回路２０６によって遮断され、残余の周波数成分がＲＦ信号ＳRFとして出力される。一方、オフセット発生期間以外の期間では、前処理信号ＳRFFがＲＦ信号ＳRFとして出力される。従って、フィルタ回路２０６からは、オフセット成分等が除去されたＲＦ信号ＳRFが出力されることとなり、ひいては高精度の再生データＤoutとスピンドル制御信号ＳCSP2の生成を可能にする。
【００８５】
このように本実施の形態によれば、ＲＦ信号変調回路１４を備えることで、オフセット成分等の除去されたＲＦ信号を生成するようにしたので、いわゆる再生信号のエラーレートの悪化を防止することができる。
【００８６】
【発明の効果】
以上説明したように本発明によれば、プッシュプル信号に基づいてＲＦ信号を変調することによって雑音成分を相殺することとしたので、雑音成分の除去されたＲＦ信号を生成することができる。
【００８７】
また、ピットを有する記録再生媒体から記録情報を再生する再生装置において、ピット信号に基づいてＲＦ信号を変調することによって雑音成分を相殺することとしたので、雑音成分の除去されたＲＦ信号を生成することができる。
【００８８】
また、ピットを有する記録再生媒体から記録情報を再生する再生装置において、記憶手段に記録されているデータに基づいてＲＦ信号を変調することによって雑音成分を相殺することとしたので、雑音成分の除去されたＲＦ信号を生成することができる。
【００８９】
また、ウォブルを有する記録再生媒体から記録情報を再生する再生装置において、ウォブル信号に基づいてＲＦ信号を変調することによって雑音成分を相殺することとしたので、雑音成分の除去されたＲＦ信号を生成することができる。
【００９０】
また、ピットとウォブルを有する記録再生媒体から記録情報を再生する再生装置において、ピット信号とウォブル信号に基づいてＲＦ信号を変調することによって雑音成分を相殺することとしたので、雑音成分の除去されたＲＦ信号を生成することができる。
【図面の簡単な説明】
【図１】本実施形態に係る再生装置の構成を示すブロック図である。
【図２】本再生装置に設けられている光ピックアップによる記録再生媒体からの情報読み取り原理を説明するための説明図である。
【図３】本再生装置に設けられているＲＦ信号変調回路の第１の構成例を示すブロック図である。
【図４】本再生装置に設けられているＲＦ信号変調回路の第２の構成例を示すブロック図である。
【図５】本再生装置に設けられているＲＦ信号変調回路の第３の構成例を示すブロック図である。
【図６】本再生装置に設けられているＲＦ信号変調回路の第４の構成例を示すブロック図である。
【図７】本再生装置に設けられているＲＦ信号変調回路の第５の構成例を示すブロック図である。
【図８】本再生装置に設けられているＲＦ信号変調回路の第６の構成例を示すブロック図である。
【図９】本再生装置に設けられているＲＦ信号変調回路の第７の構成例を示すブロック図である。
【図１０】本再生装置に設けられているＲＦ信号変調回路の第８の構成例を示すブロック図である。
【図１１】ＲＦ信号変調回路の作用を説明するための波形図である。
【図１２】従来の再生装置の問題点を説明するための説明図である。
【図１３】オフセット成分等の発生による問題点を説明するための波形図である。
【符号の説明】
２…光ピックアップ
６…ウォブルしたグルーブ
７…ランド
８…ランドプリピット
９…光検出器
１１…ＲＦ信号生成回路
１２…プッシュプル信号生成回路
１４…ＲＦ信号変調回路
１５…ＲＦ信号２値化回路
１６…ＲＦ信号復調回路
１００，２００…演算器
１０１，１１２，１１４，２０１…レベル変換回路
１０２，１１３，１１５，２０３，２０６…フィルタ回路
１０３，１０４…アナログスイッチ
１０５…インバータ
１０６，２０５，２０７…プリピット検出回路
１０７，２０２…レベル検出回路
１０８，２０４…変調パターン発生回路
１０９…プリピット成分抽出回路
１１０…包絡線検波回路
１１１…アナログ加算器
１１６…ウォブル成分抽出回路
【図１】
0003835787.tif 000002
【図２】
0003835787.tif 000003
【図３】
0003835787.tif 000004
【図４】
0003835787.tif 000005
【図５】
0003835787.tif 000006
【図６】
0003835787.tif 000007
【図７】
0003835787.tif 000008
【図８】
0003835787.tif 000009
【図９】
0003835787.tif 000010
【図１０】
0003835787.tif 000011
【図１１】
0003835787.tif 000012
【図１２】
0003835787.tif 000013
【図１３】
0003835787.tif 000014